(57)【要約】【課題】清浄な排ガスを得るとともに、水素リッチな燃料ガスを効率的に生成することを可能にする。【解決手段】燃料ガス発生装置１０は、燃焼触媒１４を有して改質用燃料を蒸発させる蒸発機構１６と、前記蒸発した改質用燃料を改質して改質ガスを生成する改質機構１８と、前記改質ガスから不要物を除去して燃料ガスを生成するＰＳＡ機構２６と、前記ＰＳＡ機構２６から前記不要物を、熱源燃料として前記蒸発機構１６に連続的に供給する供給路３８と、前記蒸発機構１６に燃焼用空気を供給する燃焼用空気供給機構５０と、前記不要物の供給量の変動に同期して、前記燃焼用空気の供給量を制御する制御ＥＣＵ７４とを備える。【選択図】図１
2005008434.tif 000002
【特許請求の範囲】
【請求項１】
炭化水素又はアルコールを含む改質用燃料を改質して改質ガスを生成した後、前記改質ガスをＰＳＡ機構に供給することにより、前記改質ガスから不要物を除去して水素リッチな燃料ガスを生成する燃料ガス発生方法であって、
前記ＰＳＡ機構から前記不要物を熱源燃料として加熱部に連続的に供給するとともに、前記加熱部に燃焼用空気を供給して燃焼させる際、前記不要物の供給量の変動に同期して、前記燃焼用空気の供給量を制御することを特徴とする燃料ガス発生方法。
【請求項２】
炭化水素又はアルコールを含む改質用燃料を改質することにより、水素リッチな燃料ガスを生成する燃料ガス発生装置であって、
燃焼触媒を有して前記改質用燃料を蒸発させる蒸発機構と、
蒸発した前記改質用燃料を改質して改質ガスを生成する改質機構と、
前記改質ガスから不要物を除去して前記燃料ガスを生成するＰＳＡ機構と、
前記ＰＳＡ機構から排出される前記不要物を、熱源燃料として前記燃焼触媒に連続的に供給する供給路と、
前記燃焼触媒に燃焼用空気を供給する燃焼用空気供給機構と、
前記不要物の供給量の変動に同期して、前記燃焼用空気の供給量を制御する制御部と、
を備えることを特徴とする燃料ガス発生装置。
【発明の詳細な説明】
【０００１】
【発明の属する技術分野】
本発明は、炭化水素又はアルコールを含む改質用燃料を改質することにより、水素リッチな燃料ガスを生成する燃料ガス発生方法及び装置に関する。
【０００２】
【従来の技術】
例えば、固体高分子型燃料電池は、高分子イオン交換膜（陽イオン交換膜）からなる固体高分子電解質膜の両側に、それぞれアノード側電極及びカソード側電極を対設した電解質膜・電極構造体を備え、この電解質膜・電極構造体を一対のセパレータにより挟持した単位セルとして構成されている。通常、複数の単位セルを積層した燃料電池スタックが、定置用や車載用等の種々の用途に採用されている。
【０００３】
この単位セルにおいて、アノード側電極に供給された燃料ガス、例えば、主に水素を含有するガス（以下、水素含有ガスともいう）は、電極触媒上で水素がイオン化され、電解質膜を介してカソード側電極側へと移動する。その間に生じた電子は外部回路に取り出され、直流の電気エネルギとして利用される。
【０００４】
そこで、従来より、天然ガス等の炭化水素燃料やメタノール等のアルコールから水素含有ガスを生成し、この水素含有ガスを燃料電池スタックに供給する方式が採用されている。
【０００５】
例えば、特許文献１に開示されている水素製造装置は、図８に示すように、基本的に都市ガス等の燃料が圧縮機１から供給される水添脱硫部２、脱硫後の燃料を水蒸気改質して高濃度な水素含有ガスを製造する水蒸気改質部３、前記水蒸気改質部３の周囲に外装され、水素と空気中の酸素とを触媒燃焼させる触媒燃焼部４、前記水素含有ガス中の一酸化炭素を二酸化炭素及び水素に転換させるガス変成部５、及びガス変成後の水素含有ガスから高純度水素を圧力吸着により分離するＰＳＡ（Ｐｒｅｓｓｕｒｅ  Ｓｗｉｎｇ  Ａｄｓｏｒｐｔｉｏｎ）部６を備えている。
【０００６】
ＰＳＡ部６には、高純度水素を固体高分子型燃料電池（ＰＥＦＣ）７に供給する前に一時的に貯蔵する水素貯蔵タンク８と、このＰＳＡ部６で吸着除去されたオフガス（不要物）を一時的に貯蔵するオフガスホルダ９とが接続されている。オフガスホルダ９は、水蒸気改質部３を加熱するための燃料として、オフガスを触媒燃焼部４に供給している。
【０００７】
【特許文献１】
特開２００２−２０１０２号公報（段落［００１４］〜［００２２］、図１）
【０００８】
【発明が解決しようとする課題】
この場合、ＰＳＡ部６には、水素以外の成分を高圧下で選択的に吸着し、減圧下で脱着する吸着剤を充填した複数の吸着塔が設けられている。そして、各吸着塔にそれぞれ吸着−脱着−置換−昇圧からなるサイクリック運転を行わせることにより、高純度水素を取り出す一方、他の成分をオフガスとして排出するように構成されている。
【０００９】
その際、オフガスホルダ９は、ＰＳＡ部６で所望の圧力差を維持し得るように、相当に大容量に設定されている。このため、オフガスホルダ９自体が大きなスペースを必要としてしまい、水素製造装置全体が相当に大型化するという問題がある。
【００１０】
そこで、オフガスホルダ９を使用することがなく、ＰＳＡ部６から触媒燃焼部４にオフガスを直接供給する方式が考えられる。しかしながら、ＰＳＡ部６から排出されるオフガスには、圧力脈動が発生している。従って、触媒燃焼部４に供給されるオフガス量が変動することにより、触媒燃焼部４の触媒温度が変動し易い。
【００１１】
特に触媒温度が低温になると、オフガス中に含有するＣＯ及び未改質のＨＣは、触媒燃焼部４で燃焼しきれずに外部に直接排出されるという問題がある。例えば、メタン（ＣＨ４）は、５００℃以下の低温条件において触媒で燃焼しきれず、排ガスとして外部に放出されてしまう。これにより、清浄な排ガスが得られないという問題がある。
【００１２】
本発明はこの種の問題を解決するものであり、オフガスホルダを不要にし且つ清浄な排ガスを確実に得るとともに、水素リッチな燃料ガスを効率的に生成することが可能な燃料ガス発生方法及び装置を提供することを目的とする。
【００１３】
【課題を解決するための手段】
本発明の請求項１に係る燃料ガス発生方法では、炭化水素又はアルコールを含む改質用燃料を改質して改質ガスを生成した後、前記改質ガスをＰＳＡ機構に供給することにより、前記改質ガスから不要物を除去して水素リッチな燃料ガスを生成している。
【００１４】
一方、不要物は、熱源燃料としてＰＳＡ機構から加熱部に連続的に供給されるとともに、前記加熱部に燃焼用空気が供給されて燃焼が行われている。その際、不要物の供給量の変動に同期して、燃焼用空気の供給量が制御されるため、ＰＳＡ機構の脈動によって熱源燃料である前記不要物の供給量が減少した場合に、前記燃焼用空気の供給量も減少する。
【００１５】
このため、熱源燃料の供給量に対して燃焼用空気の供給量が相対的に増加することによる加熱部の温度低下を阻止することができ、この加熱部で未燃焼成分が発生することを良好に回避することが可能になる。これにより、外部に未燃焼成分が直接排出されることがなく、清浄な排ガスを確実に得ることができる。
【００１６】
また、本発明の請求項２に係る燃料ガス発生装置では、燃焼触媒を有して改質用燃料を蒸発させる蒸発機構と、蒸発した前記改質用燃料を改質して改質ガスを生成する改質機構と、前記改質ガスから不要物を除去して燃料ガスを生成するＰＳＡ機構と、前記ＰＳＡ機構から排出される前記不要物を、熱源燃料として前記燃焼触媒に連続的に供給する供給路と、前記燃焼触媒に燃焼用空気を供給する燃焼用空気供給機構と、前記不要物の供給量の変動に同期して、前記燃焼用空気の供給量を制御する制御部とを備えている。
【００１７】
ＰＳＡ機構から燃焼触媒に連続的に供給される熱源燃料（不要物）は、圧力脈動により供給量が変動している。この場合、圧力脈動は、ＰＳＡ機構のサイクルタイムが同一であれば規則的な脈動挙動を示す。従って、燃焼用空気供給機構は、ＰＳＡ機構のサイクルタイムに連動した制御で運転されることにより、熱源燃料の供給量の増減と燃焼用空気の供給量の増減とを、正確且つ高精度に同期させることができる。このため、簡単な構成で、未燃焼成分が発生することを有効に阻止することが可能になる。
【００１８】
【発明の実施の形態】
図１は、本発明の実施形態に係る燃料ガス発生装置１０を組み込む燃料ガス供給システム１２の概略構成図である。
【００１９】
燃料ガス発生装置１０は、燃焼触媒（加熱部）１４を有して改質用燃料を蒸発させる蒸発機構１６を備える。蒸発機構１６の下流には、改質用燃料を改質して改質ガスを生成する改質機構１８が配設されるとともに、前記蒸発機構１６と前記改質機構１８との間には、前記蒸発した改質用燃料を前記改質ガスと熱交換して加熱する熱交換機構２０が介装される。熱交換機構２０の下流には、熱交換された改質ガスを冷却する冷却機構２２が配設されるとともに、この冷却機構２２の下流には、冷却された前記改質ガスをガス成分と水分とに分離する気液分離機構２４が配設される。
【００２０】
気液分離機構２４の下流には、水分が分離された改質ガスを加圧してＰＳＡ機構２６に供給するＰＳＡコンプレッサ２８が配設される。図２に示すように、ＰＳＡ機構２６は、ＰＳＡコンプレッサ２８にそれぞれ接続可能な、例えば、３塔式圧力スイング吸着装置を構成しており、吸着塔３０、３２及び３４を備える。各吸着塔３０〜３４の出入口の一端には、弁３６ａ〜３６ｃが設けられるとともに、前記弁３６ａ〜３６ｃを介して前記吸着塔３０〜３４が供給路３８に接続される。供給路３８は、燃焼触媒１４に接続されるとともに、この供給路３８の途上には、圧力調整弁４０が配設される。
【００２１】
各吸着塔３０〜３４の出入口の他端には、弁４２ａ〜４２ｃが設けられるとともに、前記吸着塔３０〜３４は、弁４４を介してタンク４６に連通可能である。図１に示すように、タンク４６は、管路４８を介して供給路３８に連通する一方、前記供給路３８には、燃焼用空気供給機構５０が接続される。
【００２２】
燃焼用空気供給機構５０は、改質用空気供給機構を兼用する空気コンプレッサ５２を備える。この空気コンプレッサ５２には、燃焼用空気供給路５４と、改質用空気供給路５６とが接続される。燃焼用空気供給路５４は、供給路３８の途上に連通しており、燃焼触媒１４に燃焼用空気を供給する。改質用空気供給路５６には、圧力調整弁５８及びインジェクタ６０が配設されており、蒸発機構１６に改質用燃料及び水と共に改質用空気を供給する。
【００２３】
タンク４６は、流量調整又は圧力調整を行う弁６２を介して固体高分子型燃料電池スタック（ＰＥＦＣ）６４内の燃料ガス流路（図示ぜず）に連通可能であるとともに、流量制御弁６６及び高圧コンプレッサ６８を介して高圧タンク７０に連通可能である。この高圧タンク７０は、水素ディスペンサ７２に水素を供給することにより、前記水素ディスペンサ７２を介して図示しない燃料電池自動車（ＦＣ自動車）に水素を供給することができる。燃料電池スタック６４は、定置型であり、水素（燃料）循環システムを備えている。
【００２４】
燃料ガス供給システム１２は、各補機類と通信及び制御を行うとともに、特に本実施形態では、ＰＳＡ機構２６から燃焼触媒１４に供給される熱源燃料としての不要物の供給量の変動に同期して、前記燃焼触媒１４に供給される燃焼用空気の供給量を制御する制御部として、例えば、制御ＥＣＵ（Ｅｌｅｃｔｒｏｎｉｃ  Ｃｏｎｔｒｏｌ  Ｕｎｉｔ）７４を備える。
【００２５】
このように構成される燃料ガス発生装置１０の動作について、燃料ガス発生方法との関連で、図３に示すフローチャートに沿って以下に説明する。
【００２６】
燃料ガス供給システム１２では、制御ＥＣＵ７４の起動信号がオンされて、燃料ガス発生装置１０の暖機運転が開始される（ステップＳ１）。この暖機運転では、空気コンプレッサ５２が一定の回転数で運転されており、燃焼用空気及び改質用空気が、それぞれ燃焼用空気供給路５４及び改質用空気供給路５６を介して燃焼触媒１４及び蒸発機構１６に供給される。
【００２７】
改質用空気供給路５６において、空気コンプレッサ５２から送られる改質用空気は、圧力調整弁５８により圧力差が低減（振幅が縮小）され、さらにインジェクタ６０を介して略一定の圧力に調整された後、蒸発機構１６に送られる。
【００２８】
蒸発機構１６には、上記の改質用空気の他に改質用燃料及び水が供給される一方、燃焼触媒１４では、燃焼用空気及び必要に応じてタンク４６から水素が供給されて燃焼が行われ、前記改質用燃料が蒸発する。蒸発した改質用燃料は、熱交換機構２０を通って改質機構１８に供給されるとともに、この改質機構１８から排出される改質ガスとの間で熱交換を行って昇温される。
【００２９】
改質機構１８では、改質用燃料中の、例えば、メタン、空気中の酸素及び水蒸気によって、酸化反応であるＣＨ４＋２Ｏ２→ＣＯ２＋２Ｈ２Ｏ（発熱反応）と、燃料改質反応であるＣＨ４＋２Ｈ２Ｏ→ＣＯ２＋４Ｈ２（吸熱反応）とが同時に行われる（オートサーマル方式）。
【００３０】
これにより、燃料ガス発生装置１０の暖機が行われ、制御ＥＣＵ７４では、ＰＳＡ機構２６のサイクルタイムから空気コンプレッサ５２の運転プログラムが選定される（ステップＳ２）。例えば、図４に示すように、ＰＳＡ機構２６から排出される不要物（熱源燃料）は、圧力脈動によって流量が変動しており、燃焼用空気がこの熱源燃料の流量に同期して変動するように、運転プログラムが設定されている。
【００３１】
そこで、ステップＳ３において、前回のＰＳＡ機構２６の停止状態（位置）がシーケンス通りに停止したか否かが判断される。そして、シーケンス通りであると判断されると（ステップＳ３中、ＹＥＳ）、ステップＳ４に進んで、空気コンプレッサ５２の運転プログラムが開始される。
【００３２】
このため、改質機構１８から熱交換機構２０に供給された改質ガスは、改質用燃料との間で熱交換を行った後、冷却機構２２により冷却されて、気液分離機構２４に供給される。この気液分離機構２４で水分が分離された改質ガスは、ＰＳＡコンプレッサ２８で圧縮されてＰＳＡ機構２６に供給される。
【００３３】
ＰＳＡ機構２６では、図２に示すように、改質ガスが吸着塔３０、３２及び３４に選択的に供給される。その際、ＰＳＡ機構２６では、例えば、吸着塔３０で吸着工程、吸着塔３２で減圧工程、及び吸着塔３４でパージ工程が行われる。このため、吸着塔３０内で水素以外の成分が吸着されて、高濃度の水素（水素リッチ）を含む燃料ガスがタンク４６に供給される。
【００３４】
さらに、吸着塔３０で吸着工程、吸着塔３２で均圧工程、及び吸着塔３４で均圧工程を経た後、前記吸着塔３０で吸着工程、前記吸着塔３２でブローダウン工程、及び吸着塔３４で昇圧工程が実施される。従って、吸着塔３０でのブローダウン工程によるオフガス（不要物）は、弁３６ａの開放作用下に供給路３８に供給され、圧力調整弁４０を通って燃焼触媒１４に供給される。
【００３５】
上記のように、吸着塔３０、３２及び３４では、吸着工程、減圧工程、パージ工程、均圧工程及びブローダウン工程が選択的に行われることにより、水素リッチな燃料ガスがタンク４６に供給される。一方、熱源燃料であるオフガスが、弁３６ａ〜３６ｃの開閉作用下に、供給路３８を介して燃焼触媒１４に連続的に供給される。
【００３６】
この場合、本実施形態では、図４に示すように、ＰＳＡ機構２６のシーケンスに基づいて、空気コンプレッサ５２の運転プログラムが選定されている。具体的には、ＰＳＡ機構２６の圧力脈動により、熱源燃料である不要物の供給量が増減するのに同期して、燃焼用空気の増減を行うように空気コンプレッサ５２が同期制御されている。
【００３７】
従って、燃焼触媒１４に供給される熱源燃料の供給量が減少する際に、この燃焼触媒１４に供給される燃焼用空気の供給量が減少するため、前記燃焼触媒１４の温度が低下することを阻止することができる。
【００３８】
これにより、燃焼触媒１４において、熱源燃料の未燃焼成分が発生することを有効に阻止し、この未燃焼部分が直接外部に排出されることがなく、清浄な排ガスを確実に得ることができるという効果がある。
【００３９】
ここで、図５には、燃焼用空気の供給量を一定に、すなわち空気コンプレッサ５２の回転数を一定に維持し、ＰＳＡ機構２６から排出される熱源燃料を圧力調整弁４０で制御した際の燃焼触媒温度、オフガス流量（脈動）、改質触媒温度等の各部位の温度の変動が示されている。このため、オフガス脈動によって熱源燃料の流量が減少すると、燃焼用空気の供給量が相対的に増加するため、燃焼触媒１４の温度が低下してしまう。
【００４０】
これに対して、オフガス脈動に同期して空気コンプレッサ５２を制御すると、図６に示すように、オフガス流量（脈動）の変動に影響されることがなく、燃焼触媒１４の温度は高温で且つ安定した値に維持される。従って、排気ガス中に含まれる未燃焼成分（例えば、ＣＨ４）の排出量は、図５の方式に比べて大幅に削減されるという利点が得られる。
【００４１】
次いで、ステップＳ５に進み、燃焼触媒１４の温度が規定の温度範囲内か否かが判断される。この燃焼触媒１４の温度が規定温度範囲内であれば（ステップＳ５中、ＹＥＳ）、プログラムが終了するまで運転が継続される（ステップＳ６）。
【００４２】
一方、燃焼触媒１４の温度が規定温度範囲外であれば（ステップＳ５中、ＮＯ）、ステップＳ７に進んで、空気コンプレッサ５２の回転制御が行われる。このため、前記燃焼触媒１４の温度は、規定温度範囲内に維持される。
【００４３】
ところで、ステップＳ３において、前回のＰＳＡ機構２６の停止状態がシーケンス通りでない場合には、ステップＳ８に進む。このステップＳ８では、空気コンプレッサ５２がＰＳＡ機構２６の運転開始と同期して、規定値以下の一定回転数で運転が開始される。
【００４４】
これにより、図７に示すように、燃焼用空気の流量は、熱源燃料の流量の変化に関らず一定量を維持し、基準バルブ、例えば、弁３６ａの弁開信号が出力された時点で、空気コンプレッサ５２の回転数は、予め選定された運転プログラムに沿って制御される（ステップＳ９中、ＹＥＳ）。従って、熱源燃料の供給量と燃焼用空気の供給量は同期制御されることになる。
【００４５】
上記のように、燃料ガス発生装置１０の運転が継続されることにより、ＰＳＡ機構２６からタンク４６に燃料ガスが貯蔵される。図１に示すように、タンク４６に貯蔵されている燃料ガスは、弁６２が開放されることによって、燃料電池スタック６４内の燃料ガス流路に供給され、この燃料電池スタック６４を介して発電を行うことができる。
【００４６】
一方、流量制御弁６６を開放することにより、高圧コンプレッサ６８から高圧タンク７０に燃料ガスが充填される。さらに、この高圧タンク７０から水素ディスペンサ７２に燃料ガスが供給され、図示しない燃料電池自動車に燃料ガスを供給することができる。
【００４７】
なお、本実施形態では、加熱部として燃焼触媒１４を用いて説明したが、これに限定されるものではなく、例えば、バーナ等の種々の加熱手段を用いてもよい。
【００４８】
【発明の効果】
本発明に係る燃料ガス発生方法及び装置では、ＰＳＡ機構で改質ガスから除去された不要物が、熱源燃料として加熱部に連続的に供給されるとともに、前記加熱部に燃焼用空気が供給されて燃焼が行われる。その際、不要物の供給量の変動に同期して、燃焼用空気の供給量が制御されるため、ＰＳＡ機構の脈動によって熱源燃料である前記不要物の供給量が減少した場合に、前記燃焼用空気の供給量も減少する。
【００４９】
このため、熱源燃料の供給量に対して燃焼用空気の供給量が相対的に増加することによる加熱部の温度低下を阻止することができ、この加熱部で未燃焼成分が発生することを良好に回避することが可能になる。これにより、外部に未燃焼成分が直接排出されることがなく、清浄な排ガスを確実に得ることができる。
【図面の簡単な説明】
【図１】本発明の実施形態に係る燃料ガス発生装置を組み込む燃料ガス供給システムの概略構成図である。
【図２】前記燃料ガス発生装置の要部構成説明図である。
【図３】本発明の燃料ガス発生方法を説明するフローチャートである。
【図４】熱源燃料と燃焼用空気の流量制御の説明図である。
【図５】空気流量が一定の場合におけるオフガス流量と各部位の温度との関係説明図である。
【図６】前記空気流量が制御される場合における前記オフガス流量と前記各部位の温度との関係説明図である。
【図７】ＰＳＡ機構がシーケンス外で停止した際の制御説明図である。
【図８】特許文献１の概略系統図である。
【符号の説明】
１０…燃料ガス発生装置        １２…燃料ガス供給システム
１４…燃焼触媒                １６…蒸発機構
１８…改質機構                ２０…熱交換機構
２２…冷却機構                ２４…気液分離機構
２６…ＰＳＡ機構              ２８…ＰＳＡコンプレッサ
３０〜３４…吸着塔
３６ａ〜３６ｃ、４２ａ〜４２ｃ、４４、６２…弁
３８…供給路                  ４０、５８…圧力調整弁
４６…タンク                  ５０…燃焼用空気供給機構
５２…空気コンプレッサ        ５４…燃焼用空気供給路
５６…改質用空気供給路        ６０…インジェクタ
６４…燃料電池スタック        ７０…高圧タンク
７４…制御ＥＣＵ
【図１】
2005008434.tif 000003
【図２】
2005008434.tif 000004
【図３】
2005008434.tif 000005
【図４】
2005008434.tif 000006
【図５】
2005008434.tif 000007
【図６】
2005008434.tif 000008
【図７】
2005008434.tif 000009
【図８】
2005008434.tif 000010